(57)【要約】【課題】袋が容易に破れないように開口部３を補強した海苔養殖用の種付け袋１を提供すること。また、生分解性の樹脂からなるチューブ状フィルムを用いた海苔養殖用の種付け袋１を提供すること。【解決手段】合成樹脂製チューブ状フィルムの下縁部２がヒートシールされた袋であって、該袋の開口部３がフィルムを外側又は内側に１回以上折り返して、袋本体に固定されることにより形成された折り返し部４を有しており、該袋の両側辺近傍であり、かつ折り返し部４の下方に各々設けられた２つの紐通し孔５に通された吊り下げ紐６が、該２つの紐通し孔５同士が近接するように縛られているとともに、前記折り返し部４の下方の袋本体に少なくとも１つの窓７が設けられていることを特徴とする海苔養殖用の種付け袋１。【選択図】　図１
2004008133.tif 000002
【特許請求の範囲】
【請求項１】
合成樹脂製チューブ状フィルムの下縁部２がヒートシールされた袋であって、該袋の開口部３が該フィルムを外側又は内側に１回以上折り返して、袋本体に固定されることにより形成された折り返し部４を有しており、該袋の両側辺近傍であり、かつ折り返し部４の下方に各々設けられた２つの紐通し孔５に通された吊り下げ紐６が、該２つの紐通し孔５同士が近接するように縛られているとともに、前記折り返し部４の下方の袋本体に少なくとも１つの窓７が設けられていることを特徴とする海苔養殖用の種付け袋１。
【請求項２】
合成樹脂製チューブ状フィルムが、生分解性樹脂からなることを特徴とする請求項１記載の海苔養殖用の種付け袋１。
【発明の詳細な説明】
【０００１】
【発明の属する技術分野】
本発明は、海苔養殖用の種付け袋１に関するものである。
【０００２】
【従来の技術】
従来から、海苔の養殖は、海苔網に海苔の種付けをして行われている。海苔の種付けは、まず海苔の種を付着させた種貝を合成樹脂製の種付け袋に入れ、海苔網に該種付け袋を吊り下げ、海水面に張って行う。そして、種貝から海水中へ放出される胞子が海苔網に付着し、種付けされる。
【０００３】
この種付けに使用される合成樹脂製の袋は、袋に孔を設けてその孔に吊り下げ紐を通して使われることが多い。しかし、単に孔を設けただけでは強度が弱く、波や風等の衝撃に耐えきれなくなったり、何かに引っ掛かることによって、袋の孔部分から破れて流されてしまうことがあった。
更に、このような袋に用いられる合成樹脂製のフィルムはチューブ状となっているものを用いることが多い。一般的にチューブ状のフィルムは横方向に比べ、縦方向に引き裂かれ易くなっている。このようなチューブ状のフィルムを用いた袋に孔を設け、その孔に吊り下げ紐を通して使用すると、種貝や袋内に溜まった海水の荷重により容易に破れてしまうことが多かった。
【０００４】
このような問題を改善し、海苔の胞子が海水中へ放出し易くするために、種付け用袋の開口部を補強する手段がとられている。例えば、実開昭６２−１４９９６１号公報には開口部に合成樹脂などの可撓性の長円環状体を取り付けて形成された海苔のタネ付け用吊袋が記載されている。このように袋の開口部に可撓性の長円環状体を取り付けることにより袋が破れてしまうということがなくなり、また胞子の放出もスムーズに行えるが、わざわざ別部材を取り付ける作業はコストがかかるという問題を有していた。また、このような袋への取り付け作業は殆どが手作業で行われているため、かなりの時間も費やしていた。
【０００５】
一方、使用後の合成樹脂製の種付け袋は、ゴミとして回収され、焼却、埋め立て等の処分がされている。しかしながら、これに費やす時間、手間及び費用は多大なものがあり、海に放置されるケースも少なくない。これらの従来から使用されていた袋では自己分解性がないことから海を汚染するという問題があった。また、破れて流されてしまった袋も同様で海を汚染するという問題があった。
【０００６】
【発明が解決しようとする課題】
本発明は係る課題を解決するためになされたもので、袋が容易に破れないように開口部３を補強した海苔養殖用の種付け袋１を提供することを課題とする。
また、生分解性を有する海苔養殖用の種付け袋１を提供することを課題とする。
【０００７】
【課題を解決するための手段】
上記課題を解決するための手段として、合成樹脂製チューブ状フィルムの下縁部２がヒートシールされた袋であって、該袋の開口部３が該フィルムを外側又は内側に１回以上折り返して、袋本体に固定されることにより形成された折り返し部４を有しており、該袋の両側辺近傍であり、かつ折り返し部４の下方に各々設けられた２つの紐通し孔５に通された吊り下げ紐６が、該２つの紐通し孔５同士が近接するように縛られているとともに、前記折り返し部４の下方の袋本体に少なくとも１つの窓７が設けられていることを特徴とする海苔養殖用の種付け袋１が提供される。
【０００８】
更に、合成樹脂製チューブ状フィルムが、生分解性樹脂からなることを特徴とする海苔養殖用の種付け袋１が提供される。
【０００９】
【実施の形態】
以下、図面に基づいて本発明の実施の形態を説明する。
図１は本発明の一実施形態を示す模式図である。この図から分かるように、本発明の海苔養殖用の種付け袋１は、合成樹脂製チューブ状フィルムの下縁部２をヒートシールした袋であって、該袋の開口部３がフィルムを外側に１回折り返して、袋本体に固定することにより形成した折り返し部４を有しており、該袋の両側辺近傍であり、かつ折り返し部４の下方に各々設けられた２つの紐通し孔５に通した吊り下げ紐６が、該２つの紐通し孔５同士を近接するように縛っているとともに、前記折り返し部４の下方の袋本体に６つの窓７を設けている。
そして、本発明の種付け袋１は、袋の開口部３から海苔の種が付けられた種貝を入れ、吊り下げ紐６を海苔網に取り付けて使用する。
【００１０】
図２は本発明の海苔養殖用の種付け袋１に設けた２つの紐通し孔５に吊り下げ紐６を通して縛る前の状態である。この図では、海苔養殖用の種付け袋１の折り返し部４は外側に折り返しているが、内側に折り返すようにしてもよい。また、折り返しの回数も特に限定されず、１回だけ折り返してもよいし、複数回折り返してもよく、本発明に使用される合成樹脂製チューブ状フィルムの引き裂き強度や厚み等によって適宜決定される。
【００１１】
折り返したフィルムを袋本体に固定する手段としては、ステップル、ヒートシール等の手段によって行われる。ヒートシールして固定する場合は、袋の上端辺と平行に一条あるいは複数条のヒートシール線８でもよいし、適宜間隔をあけて一個から複数個のポイントシールを施してもよく、折り返しが解けない程度に固定されていれば特に限定されない。
【００１２】
紐通し孔５は、図２に示すように予め紐通し孔５を設けておいてもよいが、紐通し作業と同時に、例えば針のようなもので紐通し孔５を設けながら紐通しをすることもでき、適宜決定される。紐通し孔５の大きさは限定されないが、大きすぎると破れやすくなる原因となることがあるので、紐が通る程度の大きさが好ましい。
また、袋の両端近傍に設けた紐通し孔５に吊り下げ紐６を通して縛ることにより、袋の下縁部２に対して開口部３が略直角となり、扁平であった袋が立体形状を形成する。海苔養殖用種付け袋１を立体形状とすることで、扁平形状と比べて胞子が放出し易くなる。
【００１３】
折り返し部４の下方に設けられた窓７は、中に入れた種貝が袋外に容易に飛び出さない程度の大きさにしておくとよい。こうすることで種貝から海水中へ放出される胞子が、開口部３のみならず窓７からの放出も可能になることから、より効果的に海苔養殖作業が行われる。なお、本図では窓７の形状は丸く記載したが、特に限定されない。窓７の数は１つ以上あればよいが、好ましくは２つ〜８つ設けるとよい。
【００１４】
本発明に使用するチューブ状フィルムの幅及び長さは特に限定されないが、種貝を入れてちょうど良い幅及び長さとなるものがよい。特に、種貝としては蛎殻を用いられることが多いので、蛎殻が入る程度の幅及び長さとすることが好ましい。
【００１５】
次に、本発明の種付け袋１を構成する合成樹脂製のチューブについて説明する。
本発明の種付け袋１を構成する合成樹脂は、従来から合成樹脂フィルムに加工されていたものと同様の熱可塑性合成樹脂を用いることができるが、特に以下の生分解性樹脂を用いるとよい。
【００１６】
本発明において用いられる生分解性樹脂としては、まず熱可塑性の脂肪族ポリエステルが挙げられる。たとえば，ポリグリコール酸やポリ乳酸またはこれらの共重合体、ポリ（ε−カプロラクトン）、ポリ（β−プロピオラクトン）、ポリ−３−ヒドロキシプロピオネート、ポリ−３−ヒドロキシブチレート、ポリ−３−ヒドロキシカプロレート、ポリ−３−ヒドロキシヘプタノエート、ポリ−３−ヒドロキシオクタノエート及びこれらとポリ−３−ヒドロキシバリレートやポリ−４−ヒドロキシブチレートとの共重合体が挙げられる。
【００１７】
また、グリコールとジカルボン酸の縮重合物からなるものとしてポリエチレンオキサレート、ポリエチレンサクシネート、ポリエチレンアジペート、ポリエチレンアゼレート、ポリブチレンオキサレート、ポリブチレンサクシネート、ポリブチレンアジペート、ポリブチレンサクシネート・アジペート、ポリブチレンセバケート、ポリヘキサメチレンセバケート、ポリネオベンチルオキサレート、ポリブチレンサクシネート・テレフタレートまたはこれらの共重合物が挙げられる。さらに、上記脂肪族ポリエステルを二官能性のチェインエクステンダーで接合し高分子量化したものや、異種の脂肪族ポリエステルをブレンドしたものも含まれる。また、上記脂肪族ポリエステルとナイロン６、ナイロン４６、ナイロン６６、ナイロン１１、ナイロン１２のような脂肪族ポリアミドとの共縮重合物も挙げられる。その他，生分解性樹脂であれば、特に限定されない。
そしてこの合成樹脂から形成されるチューブの層構成は、お互いが熱接合可能であれば単層のものに限定されず、多層構造のものであってもよい。
【００１８】
これらの生分解性能を有する樹脂からなるチューブにより本袋が形成された場合、海水中で完全に自然分解し、海を汚染することがない。
【００１９】
【発明の効果】
以上説明したように本発明の海苔養殖用種付け袋１は、袋の開口部３が、外側又は内側に１回以上折り返されることにより折り返し部分４が形成され、袋の両側辺近傍であって前記折り返し部４の下方に設けられた２つの孔５に吊り下げ紐６が通されている。このような形状にすることにより袋の開口部３が補強され、吊り下げ紐６を通した孔５が多少破れても、完全に破れて海水中に流されるという心配がなくなった。
また、万が一流されてしまったり、海水中に放置されるような状況であっても、生分解性樹脂からなるチューブ状フィルムを用いることにより、自己分解することができ、海の汚染を防止することができる。
【図面の簡単な説明】
【図１】本発明の海苔養殖用の種付け袋１の一実施形態を示す模式図である。
【図２】種付け袋１の吊り下げ紐６を通す前の状態を示す模式正面図である。
【符号の説明】
１．海苔養殖用の種付け袋
２．下縁部
３．開口部
４．折り返し部
５．紐通し孔
６．吊り下げ紐
７．窓
８．ヒートシール線
【図１】
2004008133.tif 000003
【図２】
2004008133.tif 000004